(57)【要約】      （修正有）【課題】簡略安価な構成で、ＩＣカードに関するスキミングを的確に防止し得るスキミング防止封筒を提供する。【解決手段】鉄、ニッケル、銅、アルミニウム等の金属薄層３をサンドイッチ状に内装した用紙２を用いて形成したＩＣカード収納部１０を有する封筒本体１Ａと、この封筒本体１ＡのＩＣカード収納部１０におけるＩＣカードの表面、裏面との対向領域１０ａ、１０ｂ、蓋表面６aの双方又は一方に添着した鉄、ニッケル、銅、アルミニウム等の各金属薄層１１、１２、１３とを有し、ＩＣカード収納部１０内に収納されるＩＣカードを金属薄層３、金属薄層１１、１２、１３により電磁的に保護するものである。【選択図】図２
0003116345.tif 000002
【実用新案登録請求の範囲】
【請求項１】
金属薄層をサンドイッチ状に内装した用紙を用いて形成したＩＣカード収納部を有する封筒本体と、
この封筒本体の前記ＩＣカード収納部の内面に添着した金属薄層と、
を有することを特徴とするスキミング防止封筒。
【請求項２】
金属薄層をサンドイッチ状に内装した用紙を用いて形成したＩＣカード収納部を有する封筒本体と、
この封筒本体の前記ＩＣカード収納部におけるＩＣカードの表面、裏面との対向領域の双方又は一方に添着した金属薄層と、
を有することを特徴とするスキミング防止封筒。
【請求項３】
鉄、ニッケル、銅、アルミニウム等の金属薄層をサンドイッチ状に内装した用紙を用いて形成したＩＣカード収納部を有する封筒本体と、
この封筒本体の前記ＩＣカード収納部におけるＩＣカードの表面、裏面との対向領域の双方又は一方に添着した鉄、ニッケル、銅、アルミニウム等の金属薄層と、
を有することを特徴とするスキミング防止封筒。
【考案の詳細な説明】
【技術分野】
【０００１】
本考案は、スキミング防止封筒に関し、詳しくは、ＩＣカード化された銀行キャッシュカード、クレジットカード、更には定期券等のような各種ＩＣカードに関するスキミングを防止し得るスキミング防止封筒に関するものである。本考案のスキミング防止封筒は、これを携帯用として使用できることは勿論、この封筒内にスキミングから保護したいカード類等の各種収納物を入れて郵送用として使用することができる。
【背景技術】
【０００２】
昨今多発する磁気カード（銀行キャッシュカード、クレジットカード等）のスキミング事件のため、銀行キャッシュカード、クレジットカード、更には定期券等を磁気カードからＩＣカードへ変更する傾向が加速されている。
【０００３】
ＩＣカードは磁気カードに比較してデータの記憶容量が大きいため、各種の偽造防止対策、個人認識技術（指紋認証、静脈認証等）等を盛り込み易い利点がある。
【０００４】
しかし、ＩＣカードを採用するということは、このＩＣカードに対して非接触型のカードリーダにてアクセスされ、カード内情報を読み込まれたり、改ざんされたりする危険性が高まることを意味する。
【０００５】
例えば、ＩＣカード型の定期券（例えば東日本旅客鉄道（株）のＳｕｉｃａ（登録商標）等）の例のように、所有者が財布等に入れて携帯している状況において、満員電車等の中で、ハンディ型で、且つ、無線通信型のカードリーダにより近接した位置から当該定期券の情報が読み込まれ、悪用されてしまうという危険性が存在する。ＩＣカード化された銀行キャッシュカード、クレジットカード等の場合も状況は同様である。
【０００６】
このように、特に非接触ＩＣカード型の定期券、銀行キャッシュカード、クレジットカード等が増えるということは、これらのカードに対するデータの盗難や改ざん等の事件が多発する環境が増大することを意味し、このような事態に対処するためのスミング防止対策が緊急に要請される。
【０００７】
特許文献１には、カード台紙と電磁波遮断シートと、封筒とを組み合わせ、カード台紙と電磁波遮断シートとの間に非接触型ＩＣカードを挟んで封筒に入れるように構成した非接触型ＩＣカードの送付用封筒が提案されている。
【０００８】
しかし、この特許文献１の場合、郵送途中のスキミング防止を目的とするものであり、所有者が財布やポケット等に入れて携帯している状況でのスキミング防止を図ったものではない。
【特許文献１】登録実用新案第３０６６２１４号公報
【考案の開示】
【考案が解決しようとする課題】
【０００９】
解決しようとする問題点は、簡略安価な構成で、ＩＣカードに関するスキミングを的確に防止し得るスキミング防止封筒が存在しない点である。
【課題を解決するための手段】
【００１０】
本考案のスキミング防止封筒は、金属薄層をサンドイッチ状に内装した用紙を用いて形成したＩＣカード収納部を有する封筒本体と、この封筒本体の前記ＩＣカード収納部の内面に添着した金属薄層とを有することを最も主要な特徴とする。
【考案の効果】
【００１１】
本考案の請求項１記載の考案に係るスキミング防止封筒は、金属薄層を内装した用紙を用いた封筒本体にＩＣカード収納部を形成し、ＩＣカード収納部の内面に金属薄層を添着した構成であるため、ＩＣカード収納部に非接触型のＩＣカードを入れてこのスキミング防止封筒を携帯するような場合においても、前記ＩＣカードはＩＣカード収納部の内面に金属薄層と封筒本体の金属薄層の双方で電磁的に保護され、ＩＣカードの記録情報がスキミングされることを確実に防止できる。このようなスキミング防止封筒は、これを携帯用として使用できることは勿論、この封筒内にスキミングから保護したいカード類等の各種収納物を入れて郵送用として使用することができる。
【００１２】
請求項２記載の考案によれば、前記ＩＣカード収納部におけるＩＣカードの表面、裏面との対向領域の双方又は一方に金属薄層を添着した構成で、請求項１記載の考案と同様の作用、効果を発揮させることができる。
【００１３】
請求項３記載の考案によれば、封筒本体の金属薄層として、鉄、ニッケル、銅或いはアルミニウム等からなる金属薄層を採用し、ＩＣカード収納部の金属薄層としても、鉄、ニッケル、銅、アルミニウム等からなる金属薄層を採用した構成で、請求項１記載の考案と同様の作用、効果を発揮させることができる。
【考案を実施するための最良の形態】
【００１４】
本考案は、簡略安価な構成で、ＩＣカード（特に非接触型）に関するスキミングを的確に防止し得るスキミング防止封筒を提供するという目的を、鉄、ニッケル、銅、アルミニウム等の金属薄層をサンドイッチ状に内装した用紙を用いて形成したＩＣカード収納部を有する封筒本体と、この封筒本体の前記ＩＣカード収納部におけるＩＣカードの表面、裏面との対向領域の双方又は一方に添着した鉄、ニッケル、銅、アルミニウム等の金属薄層とを有する構成により実現した。
【実施例】
【００１５】
以下に、本考案の実施例に係るスキミング防止封筒１について図１及び図３を参照して詳細に説明する。
【００１６】
本実施例に係るスキミング防止封筒１は、図１、図２に示すように、金属薄層３をサンドイッチ状に内装した用紙２を用い、例えば東日本旅客鉄道（株）のＳｕｉｃａ等のように、図示しないが定期券情報等を格納したＩＣチップを内蔵したＩＣカードＣを収納する袋状のＩＣカード収納部１０を形成した封筒本体１Ａと、前記ＩＣカード収納部１０におけるＩＣカードＣの表面、裏面と対向する対向領域１０ａ、１０ｂ、蓋表面６aに圧着又は溶着等の手段で各々添着した金属薄層１１、１２、１３とを有している。
【００１７】
前記用紙２は、例えば銅からなるフィルム状又は箔状の部材を製紙工程で紙原料にサンドイッチ状に挟み込むことで、金属薄層３を内装した構造としている。前記金属薄層３としては、銅の他、鉄、ニッケル、アルミニウム等の金属を各々フィルム状又は箔状の部材としたものの中から選定することもできる。
【００１８】
本実施例に係るスキミング防止封筒１について更に詳述すると、封筒本体１Ａは、図３に展開して示すように、用紙２を用いて四角形状の表片４、裏片５及び蓋片６が連なるように、且つ、これらの境界（境界線Ｌ１、Ｌ２の部分）で折り畳みむように形成するとともに、裏片５の両側に細長い糊代部５ａ、５ｂを形成している。
【００１９】
また、表片４の展開状態の上面、即ちＩＣカードＣの例えば表面と対向する対向領域１０ａには金属薄層１１を、裏片５の展開状態の上面、即ちＩＣカードＣの例えば裏面と対向する対向領域１０ｂには金属薄層１２を、蓋片６の蓋表面６aには金属薄層１３を夫々圧着又は溶着等の手段で各々添着している。
【００２０】
表片４の対向領域１０ａにおける金属薄層１１は、表片４と裏片５との糊付けを考慮して、対向領域１０ａの両側に糊代１０ｃ、１０ｃが表出する寸法としている。また、裏片５の対向領域１０ｂにおける金属薄層１２は、対向領域１０ｂのほぼ全面を占める寸法としている。なお、蓋片６の金属薄層１３も、蓋片６のほぼ全面を占める寸法としている。
【００２１】
金属薄層１１、１２、１３は、銅、鉄、ニッケル、アルミニウム等の金属を各々フィルム状又は箔状の部材としたもの中から選定することができる。また、前記金属薄層１１、１２、１３は、１層とする他、２層、３層構造とすることもできる。
【００２２】
上述したような展開状態の封筒本体１Ａは、前記糊代部５ａ、５ｂを折り返して糊を塗布し、表片４側の糊代１０ｃ、１０ｃに糊付けすることで表片４、裏片５間に蓋片６側が開口した袋状のＩＣカード収納部１０が形成される。
【００２３】
本実施例に係るスキミング防止封筒１によれば、例えば非接触型のＩＣカードＣをＩＣカード収納部１０に入れた場合に、ＩＣカードＣの表面側は金属薄層３と金属薄層１１、１３の３重構造で保護し、ＩＣカードＣの裏面側は金属薄層３と金属薄層１２とにより各々２重構造で電磁的に保護される（電磁波の透過を遮断する）。
【００２４】
これにより、ＩＣカード収納部１０にＩＣカードＣを入れた状態で、このスキミング防止封筒１を財布やポケット等に入れ携帯するような場合においても、電車内や街中でＩＣカードＣの記録情報がスキミングされることを確実に防止することができる。
【００２５】
本実施例に係るスキミング防止封筒１によれば、更に以下のような種々の用途、利点を挙げることができる。
【００２６】
銀行やカード会社が個人、企業等にキャッシュカードやクレジットカードをＩＣカードＣにて発行し、本実施例に係るスキミング防止封筒１に当該ＩＣカードＣを入れて郵便にて送る場合に、郵送途中のスキミングを確実に防止できる。
【００２７】
また、銀行等の窓口にて顧客にＩＣカードＣを手渡しする際に、ノベルティ商品として配布することもできる。更には、デパート、量販店等で既製品として販売したり、通信販売にて既製品として販売することもできる。
【００２８】
なお、前記スキミング防止封筒１の表片４、裏片５又は蓋片６に、社名、個人名、広告文等を付した構成とすることももちろん可能である。また、スキミング防止封筒１自体の形状も、上述したようなＩＣカードＣを一方の長辺側からＩＣカード収納部１０に挿入するような形状とする他、ＩＣカードＣを一方の短辺側からＩＣカード収納部１０に挿入するような形状とすることもできる。更に、スキミング防止封筒１自体のサイズも大、中、小種々のサイズとすることができることはいうまでもない。
【産業上の利用可能性】
【００２９】
本考案は、既述した東日本旅客鉄道（株）のＳｕｉｃａ等のＩＣカード用に適用する場合の他、ＩＣカード化された銀行キャッシュカード、各種クレジットカード、更には、ＩＣカード化された社員証、学生証等用として幅広く活用できる。更にまた、海外で主流であるフィリップス社が提供しているマイフェアのＩＣカードにも対応可能である。
【図面の簡単な説明】
【００３０】
【図１】本考案の実施例に係るスキミング防止封筒を示す斜視図である。
【図２】本考案の実施例に係るスキミング防止封筒の拡大断面図である。
【図３】本考案の実施例に係るスキミング防止封筒の展開状態を示す平面図である。
【符号の説明】
【００３１】
１    スキミング防止封筒
１Ａ  封筒本体
２    用紙
３    金属薄層
４    表片
５    裏片
５ａ  糊代部
５ｂ  糊代部
６    蓋片
６ａ  蓋表面
１０    カード収納部
１０ａ  対向領域
１０ｂ  対向領域
１０ｃ  糊代
１０ｃ  糊代
１１    金属薄層
１２    金属薄層
１３    金属薄層
Ｌ１    境界線
Ｌ２    境界線
【図１】
0003116345.tif 000003
【図２】
0003116345.tif 000004
【図３】
0003116345.tif 000005